(57)【要約】【課題】従来の加熱処理装置では、加熱処理開始時に被処理物を迅速に加熱することが出来ず、これの改善が望まれていた。【解決手段】  ハウジング３は、その内面に赤外線を発する表面処理が施されており、被処理物を収容している。過熱水蒸気を媒体としてハウジング３で被処理物を加熱処理する前に、ハウジング３の外周囲に巻かれた誘導コイル３ｂに電源部５から高周波電流を通電し、容器３ａおよび被処理物を予め加熱しておくことが出来る。この際、被処理物は、ハウジングの温度上昇に伴ってその内面に発生する赤外線により、速やかに加熱される。このため、被処理物の加熱処理開始時に、ハウジング３の容器３ａ自体や被処理物に結露が生じることはなく、また、ハウジング３に導かれた過熱水蒸気は容器３ａや被処理物に熱を奪われることはない。よって、加熱処理開始時に被処理物を迅速に加熱できる。【選択図】  図１
2007173253.tif 000002
【特許請求の範囲】
【請求項１】
過熱水蒸気発生部と、これから送給される過熱水蒸気を用いて被処理物を加熱処理する加熱処理部とを備えた加熱処理装置において、
前記加熱処理部は被処理物を収容して加熱処理するハウジングを備えて成り、このハウジングは導電性であって、このハウジングの内面には、その温度上昇に伴って赤外線を発する表面処理が施されており、このハウジングの外周囲には、このハウジングを誘導加熱するための誘導コイルが配備されていることを特徴とする加熱処理装置。
【請求項２】
過熱水蒸気発生部と、これから送給される過熱水蒸気を用いて被処理物を加熱処理する加熱処理部とを備えた加熱処理装置において、
前記加熱処理部は被処理物を収容して加熱処理するハウジングを備えて成り、このハウジングは、導電性の筒体、または、中空部に導電性の資材が装填された非導電性の筒体を１本ないし複数本配して排出路を構成した排出部を有し、この排出部の外周囲には、前記導電性の筒体または資材を誘導加熱するための誘導コイルが配備されていることを特徴とする加熱処理装置。
【請求項３】
前記導電性の筒体または資材は、前記排出部の稼働温度にて非磁性体であることを特徴とする請求項２に記載の加熱処理装置。
【請求項４】
前記過熱水蒸気発生部から前記加熱処理部に至る過熱水蒸気送給路は導電性の管状体で構成され、この管状体の外周囲には、この管状体を誘導加熱するための誘導コイルが配備されていることを特徴とする請求項１から請求項３のいずれか１項に記載の加熱処理装置。  
【請求項５】
前記ハウジング等の、前記誘導コイルが配備されている系の外周囲には、その系からの放熱を抑制するための断熱材が前記誘導コイルよりも内側に位置して配備されていることを特徴とする請求項１から請求項４のいずれか１項に記載の加熱処理装置。
【発明の詳細な説明】
【技術分野】
【０００１】
本発明は、過熱水蒸気を用いて被処理物を加熱処理する加熱処理装置に関し、詳しくは、上記加熱処理を高能率に且つ優れた処理品質を以て行えるようにしたものである。
【背景技術】
【０００２】
従来、この種の加熱処理は、例えば、廃油，廃プラスチック，生ごみ，食品，器材等を対象として、乾燥，減容，調理，殺菌等の目的で行われる。この加熱処理を行う装置の代表的な形態は、ボイラで生じた１００℃の水蒸気を常圧の過加熱部でさらに加熱する（以下、ボイラと過加熱部とを備えた部分を「過熱水蒸気発生部」と呼ぶことにする）ことによって得られた過熱水蒸気を、加熱処理部を構成するハウジングに導き、ハウジング内に収容された廃油等を加熱処理する形態である。この加熱処理によって被処理物は熱分解などし、その際に生じる排気はハウジングに設けた排気管を通じて外部へ排出される。
【０００３】
また、別形態の加熱処理装置として、過熱水蒸気を所望の場所まで管等の導路で導き、導いた過熱水蒸気を、導路の末端部に設けられて別形態の加熱処理部を構成する照射ガンから被処理物に照射する構造のものもある。例えば、製紙工場のベルトコンベア上に載置されて運ばれる材木チップといった被処理物は、照射ガンから照射された過熱水蒸気によって加熱され、乾燥処理される。
【発明の開示】
【発明が解決しようとする課題】
【０００４】
しかしながら、ハウジング内に収容した被処理物を加熱処理する形態の加熱処理装置では、加熱処理開始時にはハウジングが冷えているため、これが昇温するまでの間に器壁に結露が生じてしまう。また、加熱処理開始時には被処理物も冷えているため、被処理物にも同様に結露が生じてしまう。結露が生じると水が再度蒸気になる熱エネルギが必要とされ、この熱エネルギはハウジング内に導かれた過熱水蒸気から供給されることになる。また、ハウジングに導かれた過熱水蒸気は冷えている器壁や被処理物に熱を奪われ、ハウジング内の過熱水蒸気の温度は低下してしまう。このため、上記従来の加熱処理装置では、所期の加熱処理温度に達するまでの立ち上がり時間を要して、その分処理能力が低くなり、また、立ち上がり時間内の低い温度での加熱処理が、熱分解不足等の処理品質低下をもたらすおそれがある。
【０００５】
また、被処理物の熱分解等によってハウジング内に発生する排気は上記のように排気管を通して外部へ排出されるが、加熱処理の温度は、この排気中にダイオキシン等の有害物質が含まれてこないような温度に限定されることになる。これは、処理能率の低さばかりでなく、この装置を適用できる用途の制約にもつながる。因みに、ハウジング形態の装置では、１０００℃以上に及ぶ過熱水蒸気を適用して行う高温加熱処理も可能であり、このように有用な装置の用途が、有害物質が含まれてこないような温度に制約されることは由々しい。
【０００６】
また、過熱水蒸気を導路で導いて照射ガンから照射する形態の加熱処理装置においても、導路や照射ガンが昇温するまでの立ち上がり時間に起因して、ハウジング形態の装置と同様な問題が存在する。また、特にこの形態の加熱処理装置においては、過熱水蒸気発生部側では過熱水蒸気の温度が所定値に設定されていても、導路が長いほどその周囲温度の変動に伴って変動しやすいため、照射ガンから照射される過熱水蒸気の実際の温度を精度良く制御することが難しく、これも、処理能率や処理品質に不利をもたらす。
【０００７】
すなわち、従来の過熱水蒸気を用いる加熱処理装置には、加熱処理部の温度の立ち上がりや変動、あるいは、処理温度選定の限界に起因する低処理能率，処理品質不備，装置用途制約等の問題があり、これらの問題点の改善が課題となっていた。
【課題を解決するための手段】
【０００８】
本発明はこのような課題を解決するためになされたもので、過熱水蒸気発生部と、これから送給される過熱水蒸気を用いて被処理物を加熱処理する加熱処理部とを備えた加熱処理装置において、加熱処理部は被処理物を収容して加熱処理するハウジングを備えて成り、このハウジングは導電性であって、このハウジングの内面には、その温度上昇に伴って赤外線を発する表面処理が施されており、このハウジングの外周囲には、このハウジングを誘導加熱するための誘導コイルが配備されていることを特徴とする。
【０００９】
この構成によれば、ハウジングの外周囲に巻かれた誘導コイルに高周波の交流電流を通電することにより、誘導コイルは高周波の交流磁界を発生する。導電性のハウジングにはこの交流磁界によって誘導電流が流れ、ハウジングはこの誘導電流によって生じるジュール損で加熱される。従って、被処理物を加熱処理する前に、誘導コイルに高周波の交流電流を通電してハウジングおよび被処理物を予め加熱しておくことが出来、また、温度変動を補償する制御補熱が出来て、前記問題点が改善される。
【００１０】
また、この構成によれば、誘導コイルの誘導電流によってハウジングが加熱されてハウジングの温度が上昇するのに伴い、その内面に施された表面処理に誘発されて内面から赤外線が放射される。従って、被処理物は、ハウジングに導かれた流体と、ハウジング内面から放射された赤外線とによって加熱される。  
【００１１】
また、本発明は、過熱水蒸気発生部と、これから送給される過熱水蒸気を用いて被処理物を加熱処理する加熱処理部とを備えた加熱処理装置において、加熱処理部は被処理物を収容して加熱処理するハウジングを備えて成り、このハウジングは、導電性の筒体、または、中空部に導電性の資材が装填された非導電性の筒体を１本ないし複数本配して排出路を構成した排出部を有し、この排出部の外周囲には、導電性の筒体または資材を誘導加熱するための誘導コイルが配備されていることを特徴とする。
【００１２】
この構成によれば、排出部の外周囲に巻かれた誘導コイルに高周波の交流電流を通電することにより、導電性の筒体または資材が誘導加熱される。そして、その加熱温度を、ハウジングからの排気中の有害ガスを二次的に熱分解して無害化できる温度とすることで、前記ハウジング内の処理温度が限定されていたという事情は払拭される。
【００１３】
また、本発明は、導電性の筒体または資材は、前記排出部の稼働温度にて非磁性体であることを特徴とする。
【００１４】
この構成によれば、導電性の複数本の筒体を、排出部内の外周側にも内奥部にも配置された形で配した場合に、あるいは、導電性の資材群（条片群や粉粒体群）が非導電性筒体内の外周側から内奥部に亘って装填されている場合に、外周側の筒体や資材のみに誘導電流が集中的に生じて内奥部の筒体や資材は殆ど誘導加熱されないという問題が、外周側の筒体や資材が非磁性体であることにより避けられて、排出部内の温度むらが無くなり、排気ガスの無害化が順調に行える。
【００１５】
ここで、筒体内の資材は、有害ガスを無害化させる処理を促進させる触媒機能を有していることが望ましく、この触媒機能は、資材の材質自体を選定することにより、あるいは、資材の表面に表面処理を施すこと等により、資材に付与される。
【００１６】
また、本発明は、過熱水蒸気発生部から加熱処理部に至る過熱水蒸気送給路が導電性の管状体で構成され、この管状体の外周囲には、この管状体を誘導加熱するための誘導コイルが配備されていることを特徴とする。
【００１７】
この構成によれば、管状体の外周囲に巻かれた誘導コイルに高周波の交流電流を通電することにより、導電性の管状体が誘導加熱されて、前記ハウジングの誘導加熱と同様の効果が奏される。特に、前記加熱処理温度の変動を補償する制御補熱については、この加熱水蒸気路の誘導加熱が最も有効である。
【００１８】
また、本発明は、ハウジング等の、誘導コイルが配備されている系の外周囲に、その系からの放熱を抑制するための断熱材が誘導コイルよりも内側に位置して配備されていることを特徴とする。
【００１９】
この構成によれば、断熱材によって系が外周囲の雰囲気から遮断され、系内の熱が外部へ逃げるのを防ぐことが出来る。
【００２０】
また、断熱材として非導電性のものを用いることにより、誘導コイルと、これが配備されているハウジング等の間の電気絶縁も行えて、誘導コイルの取り付けが容易になる。
【発明の効果】
【００２１】
以上説明したように本発明によれば、ハウジングの外周囲に巻かれた誘導コイルに高周波の交流電流を通電することにより、誘導コイルは高周波の交流磁界を発生する。導電性のハウジングにはこの交流磁界によって誘導電流が流れ、ハウジングはこの誘導電流によって生じるジュール損で加熱される。従って、被処理物を加熱処理する前に、誘導コイルに高周波の交流電流を通電してハウジングおよび被処理物を予め加熱しておくことが出来、また、温度変動を補償する制御補熱が出来る。このため、本発明によれば、加熱処理開始時に被処理物を迅速に加熱することが可能になり、処理能力および処理品質は向上する。
【００２２】
さらに、ハウジングに、その温度上昇に伴って赤外線を発する表面処理が内面に施されているので、誘導コイルの誘導電流によってハウジングが加熱されてハウジングの温度が上昇するのに伴い、その内面に施された表面処理に誘発されて内面から赤外線が放射される。従って、被処理物は、ハウジングに導かれた流体と、ハウジング内面から放射された赤外線とによって加熱される。このため、被処理物は速やかに加熱される。
【００２３】
また、ハウジングが、導電性の筒体、または、中空部に導電性の資材が装填された非導電性の筒体を１本ないし複数本配して排出路を構成した排出部を有し、この排出部の外周囲に、導電性の筒体または資材を誘導加熱するための誘導コイルが配備されている場合には、排出部の外周囲に巻かれた誘導コイルに高周波の交流電流を通電することにより、導電性の筒体または資材が誘導加熱される。この加熱温度を、ハウジングからの排気中の有害ガスを二次的に熱分解して無害化できる温度とすることで、ハウジング内の処理温度が限定されていたという事情は払拭される。このため、処理温度選定の限界に起因する低処理能率，処理品質不備，装置用途制約等の問題は解消される。
【００２４】
また、導電性の筒体または資材がその使用温度にて非磁性体である場合には、導電性の複数本の筒体を、排出部内の外周側にも内奥部にも配置された形で配した場合に、あるいは、導電性の資材群が非導電性筒体内の外周側から内奥部に亘って装填されている場合に、外周側の筒体や資材のみに誘導電流が集中的に生じて内奥部の筒体や資材は殆ど誘導加熱されないという問題が避けられて、排出部内の温度むらが無くなり、排気ガスの無害化が順調に行える。
【００２５】
また、過熱水蒸気発生部から加熱処理部に至る過熱水蒸気送給路が導電性の管状体で構成され、この管状体の外周囲に、この管状体を誘導加熱するための誘導コイルが配備されている場合には、管状体の外周囲に巻かれた誘導コイルに高周波の交流電流を通電することにより、導電性の管状体が誘導加熱されて、前記ハウジングの誘導加熱と同様の効果が奏される。
【００２６】
また、ハウジング等の、誘導コイルが配備されている系の外周囲に、その系からの放熱を抑制するための断熱材が誘導コイルよりも内側に位置して配備されている場合には、断熱材によって系が外周囲の雰囲気から遮断され、系内の熱が外部へ逃げるのを防ぐことが出来る。このため、系は、外周囲の雰囲気の温度変動に影響されず、誘導コイルによる誘導電流で設定される温度に保たれ、その温度制御性は向上する。また、断熱材として非導電性のものを用いることにより、誘導コイルと、これが配備されているハウジング等の間の電気絶縁も行えて、誘導コイルの取り付けが容易になる。このため、本発明によれば、既設の系に本装置を構成することが出来るため、容易かつ安価に装置を構成することが可能になる。
【発明を実施するための最良の形態】
【００２７】
次に、本発明による加熱処理装置の第１の実施形態について説明する。
【００２８】
本実施形態による加熱処理装置は、図１（ａ）に示す、ボイラ１，過熱水蒸気発生部２，ハウジング３および煙突４から構成されており、これら各部位の内部は相互に導通して水蒸気が通過することが可能になっている。ボイラ１の容器１ａ，過熱水蒸気発生部２の配管２ａ，ハウジング３の容器３ａは、ステンレス等の導電性耐食材料で形成されている。また、煙突４の排気管４ａは、耐熱・耐食性の優れた鋼材や合金、あるいはＺｒＢ２や表面ＳｉＯ２化ＳｉＣ等の導電性耐熱・耐食材料で形成されている。また、ハウジング３の容器３ａは、この実施形態では、高さ３５０[mm]，直径３５０[mm]程度の中空の円筒形状をしており、その内部には被処理物、例えば、廃油等の有機性廃棄物，食品残さ，殺菌処理物等が収容される。
【００２９】
また、ボイラ１，過熱水蒸気発生部２，ハウジング３および煙突４の各外周囲にはそれぞれ誘導コイル１ｂ，２ｂ，３ｂ，４ｂが巻かれている。これら各誘導コイル１ｂ〜４ｂは可撓性を持つ電線や銅製パイプ等で構成され、同図（ｂ）に示すように直列に接続されて、その両端が電源部５の端子５ａ，５ｂに接続されている。
【００３０】
電源部５は、交流２００[Ｖ]を発生する交流電源６からの給電を受け、この交流２００[Ｖ]を整流装置７によって脈流２００[Ｖ]に変換する。変換した脈流２００[Ｖ]はコンデンサ８によって平滑化され、発振装置９によって矩形波状の交流２５０[Ｖ]に変換される。発振装置９の出力側にはコンデンサ１０が設けられており、電源部５の出力端子５ａ，５ｂに接続された各誘導コイル１ｂ〜４ｂとコンデンサ１０とによって共振回路が形成される。この共振回路の共振により、各誘導コイル１ｂ〜４ｂには２０[ｋＨｚ]程度の周波数の高周波電流が流れる。この際、電源部５の出力が１０[ｋＷ]の場合、ボイラ１に巻かれた誘導コイル１ｂおよび煙突４に巻かれた誘導コイル４ｂにはそれぞれ１[ｋＷ]程度の高周波電流が供給され、過熱水蒸気発生部２に巻かれた誘導コイル２ｂおよびハウジング３に巻かれたおよび誘導コイル３ｂにはそれぞれ４[ｋＷ]程度の高周波電流が供給される。
【００３１】
なお、電源部５の構成、電圧，周波数，電力の数値等は、この実施形態における一例を挙げたもので、本発明自体を限定するものではない。
【００３２】
誘導コイル１ｂに電源部５から高周波電流が供給されることにより、誘導コイル１ｂは高周波の交流磁界を発生する。ボイラ１の容器１ａにはこの交流磁界によって誘導電流が流れ、ボイラ１の容器１ａはこの誘導電流によって生じるジュール損で加熱される。このため、ボイラ１の容器１ａに貯えられた水は１００℃の水蒸気になり、この水蒸気は過熱水蒸気発生部２へ導かれる。
【００３３】
過熱水蒸気発生部２の誘導コイル２ｂに電源部５から高周波電流が供給されることにより、誘導コイル２ｂは高周波の交流磁界を発生する。過熱水蒸気発生部２の配管２ｂにはこの交流磁界によって誘導電流が流れ、過熱水蒸気発生部２の配管２ｂはこの誘導電流によって生じるジュール損で加熱される。このため、過熱水蒸気発生部２は、ボイラ１から導かれた水蒸気をさらに加熱し、大気圧で１００℃よりも高い過熱水蒸気を発生させる。過熱水蒸気の温度は用途によって異なり、有機性廃棄物の乾燥や減容化には３００〜６００℃、食品残さ処理には２００〜８００℃、殺菌・洗浄処理には２００〜４００℃の範囲に設定される。
【００３４】
ハウジング３は、被処理物を収容して加熱処理する加熱処理部を構成しており、過熱水蒸気発生部２で発生した過熱水蒸気を用いて被処理物を加熱する。また、本実施形態では、ハウジング３の容器３ａの内面には、その温度上昇に伴って赤外線を発する表面処理が施されている。この表面処理は、例えば、容器３ａがステンレスで形成されている場合には内壁表面にマグネタイトが黒錆として形成されたり、また、容器３ａの内壁表面が黒色の耐熱塗料で塗られたり、また、内壁表面に琺瑯が形成されたりすることによって行われる。
【００３５】
また、誘導コイル３ｂに電源部５から高周波電流が供給されることにより、誘導コイル３ｂは高周波の交流磁界を発生する。ハウジング３の容器３ａにはこの交流磁界によって誘導電流が流れ、ハウジング３の容器３ａはこの誘導電流によって生じるジュール損で加熱される。このため、ハウジング３およびその内部の被処理物は、被処理物を過熱水蒸気を用いて加熱処理する前に、予め暖めておくなどすることが出来る。
【００３６】
煙突４は、ハウジング３で生じた排気を外部へ排出する排出部を構成しており、ハウジング３内で被処理物が熱分解等することによって生じる排気を外部へ排出する。誘導コイル４ｂに電源部５から高周波電流が供給されることにより、誘導コイル４ｂは高周波の交流磁界を発生する。排気管４ａにはこの交流磁界によって誘導電流が流れ、排気管４ａはこの誘導電流によって生じるジュール損で加熱される。このため、ハウジング３に生じた排気は、加熱された排気管４ａに接触することによって加熱され、排気は煙突４でさらに熱分解等する。
【００３７】
このような本実施形態による加熱処理装置によれば、上述したように、過熱水蒸気を媒体としてハウジング３で被処理物を加熱処理する前に、ハウジング３の外周囲に巻かれた誘導コイル３ｂに電源部５から高周波電流を通電し、容器３ａおよび被処理物を予め加熱しておくことが出来る。このため、本実施形態による加熱処理装置によれば、被処理物の加熱処理開始時に、ハウジング３の容器３ａ自体や被処理物に結露が生じることはなく、また、ハウジング３に導かれた過熱水蒸気は容器３ａや被処理物に熱を奪われることはない。よって、加熱処理開始時に被処理物を迅速に加熱することが可能になる。また、ハウジング３内の温度を検知できるセンサを配備し、そのデータに基づいて電源部５から誘導コイル３ｂ等への給電が制御されるように構成しておけば、外周囲の温度変動に伴うハウジング３の温度変動も、この制御補熱によって補償される。
【００３８】
また、本実施形態による加熱処理装置は、ハウジング３の容器３ａの内面に、その温度上昇に伴って赤外線を発する表面処理が施されている。従って、誘導コイル３ｂの誘導電流によって容器３ａが加熱されて容器３ａの温度が上昇するのに伴い、その内面に施された表面処理に誘発されて内面から赤外線が放射される。従って、被処理物は、ハウジング３に導かれた過熱水蒸気と、内面から放射された赤外線とによって加熱される。このため、被処理物は速やかに加熱される。
【００３９】
また、本実施形態による加熱処理装置は、上述したように、煙突４の外周囲に巻かれた誘導コイル４ｂに電源部５から高周波電流を通電することにより、ハウジング３に生じた排気は、加熱された排気管４ａに接触することによって加熱され、排気は煙突４で二次的に熱分解等される。このため、煙突４から排出される排気ガスにはダイオキシンといった有害物質が含まれなくなる。よって、本実施形態による加熱処理装置によれば、環境に悪影響を与えるおそれは無い。また、排気管４ａの加熱温度を、ハウジング３からの排気中の有害ガスを二次的に熱分解して無害化できる温度とすることで、ハウジング３内の処理温度を有害ガスを無害化できる温度に限定する必要はなくなる。従って、処理温度選定の限界に起因する低処理能率，処理品質不備，装置用途制約等の問題は解消される。
【００４０】
また、本実施形態による加熱処理装置は、煙突４を導電性の１本の排気管４ａから構成した場合について説明したが、導電性の複数本の排気管４ａから煙突４を構成し、複数本の排気管４ａを取り囲むように誘導コイル４ｂを配備してもよく、この場合においても上記実施形態と同様な作用効果が奏される。また、導電性の複数本の排気管４ａを、排出部内の外周側にも内奥部にも配置された形で配した場合、つまり、排気管群の外周から中心に向かう奥行き方向にも排気管４ａを分布した場合、外周側の排気管４ａが排出部の稼働温度にて非磁性体である（他の温度域では強磁性体であってもよい）ことにより、外周側の排気管４ａのみに誘導電流が集中的に生じて内奥部の排気管４ａは殆ど誘導加熱されないという問題は生じない。よって、排出部内の温度むらが無くなって排気ガスの無害化は順調に行える。
【００４１】
また、１本ないし複数本の排気管４ａを非導電性の材質から形成し、排気管４ａ内の排気が流れる通路に、導電性を有する材質で形成された資材、例えば、鋼球やハニカム状金属体を備えて煙突４を構成するようにしてもよい。この場合、煙突４の外周囲に巻かれた誘導コイル４ｂに電源部５から高周波電流を通電することにより、排気管４ａ内の資材が誘導加熱され、ハウジング３に生じた排気は、加熱された資材に接触することによって加熱され、排気は煙突４で二次的に熱分解等される。このため、この構成によっても、煙突４から排出される排気ガスにはダイオキシンといった有害物質が含まれなくなり、また、ハウジング３の処理温度選定の限界に起因する上述の問題は解消される。
【００４２】
ここで、排気管４ａ内の資材は、有害ガスを無害化させる処理を促進させる触媒機能を有していることが望ましい。この触媒機能は、資材の材質自体を例えばニッケル・チップやニッケル粉粒体等に選定することにより、あるいは、資材の表面に白金メッキやコバルト・メッキ、ニッケル・メッキといった表面処理を施すこと等により、資材に付与される。
【００４３】
また、導電性の資材群が非導電性排気管４ａ内の外周側から内奥部に亘って装填されている場合、排気管４ａを非磁性の材質から形成することにより、排気管４ａの外周側の資材のみに誘導電流が集中的に生じて、排気管４ａ中心部の内奥部の資材は殆ど誘導加熱されないという問題は生じない。よって、この構成によっても、排出部内の温度むらが無くなって排気ガスの無害化は順調に行える。
【００４４】
次に、本発明による加熱処理装置の第２の実施形態について説明する。図２はこの第２の実施形態による加熱処理装置の概略構成を示している。
【００４５】
第２の実施形態による加熱処理装置は後述する過熱水蒸気発生部１２を備えている。この過熱水蒸気発生部１２は図示しないボイラから１００℃の水蒸気ｈを取り込んで加熱する。過熱水蒸気発生部１２で生じた過熱水蒸気は、管状体を構成する蒸気回路１３により、過熱水蒸気発生部１２から過熱水蒸気照射ガン１４まで導かれる。照射ガン１４は、過熱水蒸気の照射によって被処理物を加熱処理する加熱処理部を構成しており、らっぱ状に形成されている。照射ガン１４の先端には照射口１４ａが形成されており、照射ガン１４は、照射口１４ａから蒸気回路１３によって導かれた過熱水蒸気Ｈを図示しない被処理物に照射する。この加熱水蒸気Ｈの照射により、被処理物は加熱処理される。
【００４６】
また、蒸気回路１３および照射ガン１４は、導電性を有する材質、例えば、ステンレスで形成され、それらの外周囲には誘導コイル１３ｂ，１４ｂが巻かれている。これら誘導コイル１３ｂ，１４ｂは直列に接続され、図１（ｂ）に示す電源部５の端子５ａ，５ｂ間に接続される。
【００４７】
過熱水蒸気発生部１２は、その中心線に沿った概略縦断面が図３（ａ）に示され、これに直交する方向に沿った概略横断面が同図（ｂ）に示される。過熱水蒸気発生部１２は、多数の管体２２からなる管体群２２ａと、その管体２２の一端に水蒸気ｈを供給する流体供給ヘッダ２３と、管体２２の他端から過熱水蒸気Ｈを排出させる流体排出ヘッダ２４と、管体群２２ａを取り囲むように配置された第１断熱材２５と、その外側に配置された誘導コイル２６と、さらにその外側に配置された第２断熱材２７とを備えている。
【００４８】
多数の管体２２は、互いに非接触な状態で平行にかつ管体群２２ａの外周から中心Ｏの間に多重になるように、複数の同心円３０ａ，３０ｂ，３０ｃ上に配置されている。また、管体２２は中心にも配置されている。管体２２は、自身が誘導コイル２６によって誘導加熱されて内部を通過する水蒸気を加熱するためのものであり、誘導加熱可能なように導電性を備えると共に、誘導コイル２６によって発生した交流磁界が中央領域に進入する際にその交流磁界を減衰させることが無いように非磁性の材質から形成されている。
【００４９】
流体供給ヘッダ２３は、複数の管体２２の一端側を貫通させて保持した管板２３ａと、その管板２３ａの外面側に取り付けられた流体入口２３ｂ付きのハウジング２３ｃとを備えている。このハウジング２３ｃは、一端に管板２３ａを取り付けるためのフランジ２３ｃａを備え、他端に図示しない流体供給管を連結するためのフランジ２３ｃｂを備えている。また、流体排出ヘッダ２４も同様な構造のものであり、複数の管体２２の他端側を貫通させて保持した管板２４ａと、その管板２４ａの外面側に取り付けられた流体出口２４ｂ付きのハウジング２４ｃとを備えている。このハウジング２４ｃにもフランジ２４ｃａ，２４ｃｂが設けられている。
【００５０】
管体群２２ａの外周に配置した第１断熱材２５は、誘導加熱された管体２２からの放熱で誘導コイル２６が異常に昇温するのを防止する。また、第２断熱材２７は、第１断熱材２５と共に放熱を防止して熱効率を高めるために設けられている。また、誘導コイル２６は、管体群２２ａを加熱するためのものであり、管体群２２のほぼ全長を覆うように配置されている。また、各管体２２内には、図４（ａ）の縦断面図および同図（ｂ）の横断面図に示す、邪魔体３３が挿入されている。この邪魔体３３は、板材をジグザグに折り曲げた波板からなり、管体２２内を流れる水蒸気の流れを乱すことで、管体群２２ａにおける、各管体２２と管内水蒸気との間の熱伝達係数を向上させて加熱効率を高める用をなしている。
【００５１】
ボイラからの水蒸気ｈは流体入口２３ｂから取り込まれ、複数の管体２２内を流れている状態で誘導コイル２６に高周波の交流電流が通電される。この通電により、誘導コイル２６の内側に高周波の交流磁界が発生し、内部の各管体２２に誘導電流が生じ、各管体２２は発熱する。この際、管体２２が非磁性であることから、管体群２２ａの中心部Ｏにまで交流磁界がかなりの強さで進入し、各管体２２に誘導電流が効率よくかつほぼ均一に発生して、管体２２を効率よくかつ均等に発熱させる。この際、管体２２内の邪魔体３３によって管体２２の内面と水蒸気との間の熱伝達が大幅に向上し、伝熱量を大きくすることが出来る。従って、各管体２２内を流れる水蒸気は速やかに加熱され、流体出口２４ｂからは１００℃以上の過熱水蒸気が出力される。
【００５２】
このような第２の実施形態による加熱処理装置によれば、蒸気回路１３の外周囲に巻かれた誘導コイル１３ｂに電源部５から高周波の交流電流を通電することにより、誘導コイル１３ｂは高周波の交流磁界を発生する。蒸気回路１３にはこの交流磁界によって誘導電流が流れ、蒸気回路１３はこの誘導電流によって生じるジュール損で加熱される。従って、被処理物を加熱処理する前に、蒸気回路１３の外周囲に巻かれた誘導コイル１３ｂに高周波の交流電流を通電して蒸気回路１３を予め加熱しておくことが出来る。
【００５３】
このため、この第２の実施形態による加熱処理装置によれば、加熱処理の開始時に、過熱水蒸気Ｈが蒸気回路１３を通って照射ガン１４に至る間に蒸気回路１３に熱を奪われることは無く、照射ガン１４から被処理物へ照射される際に過熱水蒸気Ｈの温度が低下してしまうことは無くなる。よって、過熱水蒸気発生部１２から照射ガン１４に過熱水蒸気Ｈを運ぶ蒸気回路１３を有する加熱処理装置においても、加熱処理開始時に被処理物を迅速に加熱することが可能になる。また、外周囲の温度変動に伴う蒸気回路１３の温度変動も、誘導コイル１３ｂへの通電制御によって生じる制御補熱によって補償される。
【００５４】
また、前述した第１の実施形態におけるハウジング３が過熱水蒸気発生部２から離れた位置にあり、上記の蒸気回路１３と同様な管状体を経由して過熱水蒸気がハウジング３にまで運ばれる場合にも、上記と同様にして管状体を予熱しておくことが出来、また、制御補熱によって温度変動を補償することが出来る。
【００５５】
また、この第２の実施形態による加熱処理装置は、照射ガン１４の外周囲に巻かれた誘導コイル１４ｂに電源部５から高周波の交流電流を通電することにより、誘導コイル１４ｂは高周波の交流磁界を発生する。照射ガン１４にはこの交流磁界によって誘導電流が流れ、照射ガン１４はこの誘導電流によって生じるジュール損で加熱される。従って、照射ガン１４から照射される過熱水蒸気の温度を検知できるセンサを配備し、そのデータに基づいて電源部５から誘導コイル１４ｂ等への給電が制御されるように構成しておけば、照射口１４ａから照射される過熱水蒸気Ｈの温度は制御され、過熱水蒸気発生部１２で所定値に設定された過熱水蒸気Ｈの温度が蒸気回路１３を通過する間に変動しても、その温度変動は補正される。このため、第２の実施形態による加熱処理装置によれば、照射ガン１４の照射口１４ａから照射される過熱水蒸気Ｈの実際の温度を精度良く制御することが可能になる。
【００５６】
また、上述した第１および第２の各加熱処理装置において、誘導コイルが配備されている系の外周囲に、その系からの放熱を抑制するための断熱材が誘導コイルよりも内側に位置して配備されている構成にすると、断熱材によって上記の系が外周囲の雰囲気から遮断され、系内の熱が外部へ逃げるのを防ぐことが出来る。例えば、図１（ａ）に示すハウジング３の容器３ａと誘導コイル３ｂとの間に、アルミナ繊維などの無機繊維等からなる断熱材を設けると、容器３ａ内の熱が外部へ逃げるのを防ぐことが出来る。また、図２に示す蒸気回路１３と誘導コイル１３ｂとの間に断熱材を設けると、蒸気回路１３内の熱が外部へ逃げるのを防ぐことが出来る。このため、容器３ａや蒸気回路１３といった被巻部は、外周囲の雰囲気の温度変動に影響されず、誘導コイル３ｂ，１３ｂ等による誘導電流で設定される温度に保たれ、その温度制御性は向上する。
【００５７】
また、断熱材として非導電性のものを用いることにより、誘導コイルと、これが配備されている系の間の電気絶縁も行えて、誘導コイルの取り付けが容易になる。例えば、既設の蒸気回路１３の外周囲に非導電性の断熱材を設け、この断熱材の外周囲に可撓性のリッツ線等で誘導コイル１３ｂを巻くことにより、本実施形態による加熱処理装置を容易かつ安価に構成することが可能になる。
【図面の簡単な説明】
【００５８】
【図１】（ａ）は本発明の第１の実施形態による加熱処理装置の概略構成、（ｂ）はその加熱処理装置の電源部の概略構成を示す図である。
【図２】本発明の第２の実施形態による加熱処理装置の概略構成を示す図である。
【図３】（ａ）は本発明の第２の実施形態による加熱処理装置の過熱水蒸気発生部の縦断面図、（ｂ）はその横断面図である。
【図４】（ａ）は図３に示す過熱水蒸気発生部を構成する管体の縦断面図、（ｂ）はその横断面図である。
【符号の説明】
【００５９】
１…ボイラ
１ａ…ボイラ１の容器
１ｂ，２ｂ，３ｂ，４ｂ，１３ｂ，１４ｂ…誘導コイル
２，１２…過熱水蒸気発生部
２ａ…過熱水蒸気発生部２の配管
３…ハウジング
３ａ…ハウジング３の容器
４…煙突
４ａ…煙突４の排気管
５…電源部
１３…蒸気回路
１４…照射ガン
【図１】
2007173253.tif 000003
【図２】
2007173253.tif 000004
【図３】
2007173253.tif 000005
【図４】
2007173253.tif 000006